(57)【要約】【課題】自発光機能を有していて暗所で光を受けない状況下でも機能し、以て自転車利用者及び歩行者等の安全を確保でき、しかも構成簡易で手軽に使用することができる自発光式リフレクターを提供することを課題とする。【解決手段】内面を乱反射面にした本体部１及びカバー部３から成るケース内に、発光手段８と、電池５と、動状態時に通電する接点回路７とを内蔵して成る。その場合、前記本体部１とカバー部３にそれぞれ対応する鍔部１ａ、３ａを設け、前記鍔部１ａ、３ａ間においてスポークを挟持させることによってスポークに固定可能にすることができる。また、前記接点回路７は、リング状接点１２と、前記リング状接点１２内に遊挿される揺動接点１１と、前記揺動接点１１が前記リング状接点１２に触れた際に所定時間通電状態を保持する回路とから成る。【選択図】　　　　図３
2004037634.tif 000002
【特許請求の範囲】
【請求項１】
内面を乱反射面にしたケース内に、発光手段と、電池と、動状態時に通電状態を維持する接点回路とを内蔵して成る自発光式リフレクター。
【請求項２】
前記ケースを、それぞれ対応する鍔部を設けた本体部とカバー部とから構成し、前記鍔部間においてスポークを挟持させることによってスポークに固定可能にした請求項１に記載の自発光式リフレクター。
【請求項３】
前記接点回路が、リング状接点と、前記リング状接点内に遊挿される揺動接点と、前記揺動接点が前記リング状接点に触れた際に所定時間通電状態を保持する回路とから成る請求項１に記載の自発光式リフレクター。
【請求項４】
前記ケースが円筒状で、前記発光手段と電池と接点回路をその一端又は両端に配置し、前記ケースの中間部をスポークに固定可能にした請求項１に記載の自発光式リフレクター。
【発明の詳細な説明】
【０００１】
【発明の属する技術分野】
本発明は自発光式リフレクター、より詳細には、主として夜間の安全走行のために、自転車のスポークに取り付けて用いる照明手段を内蔵した自発光式リフレクターに関するものである。
【０００２】
【従来の技術】
自転車の夜間走行時には、暗所を照らし出すために自転車に装備されたライトを用いるが、他者、殊に自動車運転中のドライバーにその存在を知らしめるために、テールカバー、ペダル、あるいは、スポーク等にリフレクターが取り付けられる。特に、ライトが故障したままで無灯下で走行する自転車が少なくないが、そのような場合の安全確保のためにリフレクターは有効である。
【０００３】
しかし、リフレクターはあくまで、受けた光を反射するものであるので、無灯下の自転車同士や、無灯下の自転車と走行者との間では機能せず、これらの場合における相互確認、並びに、安全確保の手段とはなり得ない。
【０００４】
【発明が解決しようとする課題】
上述したように、従来のリフレクターは自発光機能がなく、受けた光を反射するのみであるので、光を受けない状況下では、その機能を発揮することができない。
そこで本発明は、自発光機能を有していて暗所で光を受けない状況下でも機能し、以て自転車利用者及び歩行者等の安全を確保でき、しかも構成簡易で手軽に使用することができる自発光式リフレクターを提供することを課題とする。
【０００５】
【課題を解決するための手段】
上記課題を解決するための本発明に係る自発光式リフレクターは、内面を乱反射面にしたケース内に、発光手段と、電池と、動状態時に通電する接点回路とを内蔵して成る。
【０００６】
前記ケースは、それぞれ対応する鍔部を設けた本体部とカバー部とから構成し、前記鍔部間においてスポークを挟持させることによってスポークに固定可能にすることができる。また、前記接点回路は、リング状接点と、前記リング状接点内に遊挿される揺動接点と、前記揺動接点が前記リング状接点に触れた際に所定時間通電状態を保持する回路とから成るものとすることができる。
【０００７】
更に、前記ケースを円筒状とし、前記発光手段と電池と接点回路をその一端あるいは両端に配置し、前記ケースの中間部をスポークに固定可能にすることができる。
【０００８】
【発明の実施の形態】
本発明の実施の形態を添付図面に依拠して説明する。図１乃至図３に示す本発明に係る自発光式リフレクターは、電池ボックス２を有する本体部１と、本体部１に被装されるカバー部３とから成るケースを有し、本体部１とカバー部３との間にスポーク固定手段が形成される。
【０００９】
電池ボックス２の後面には蓋４が配備され、蓋４を外すことにより、電池５等の出入が可能な構成となっている。電池５としては、通例ボタン電池が用いられ、その電極が、常時、基板６に固定された接点回路７に当接する。蓋４内に、電池５を押圧するスプリングが配設されることもある。基板６には、発光手段として、通例発光ダイオード８が設置される。
【００１０】
図４は接点回路７の構成例を示すもので、それは、基板６から吊下した揺動接点１１を、基板６に設置したケースに設けたリング状接点１２内に遊挿して成る。また、この接点回路７は、振動を受けて揺動接点１１が揺動してリング状接点１２に触れると、例えば１０秒間通電状態を持続する回路を有する。従って、本リフレクターがスポーク２０に取り付けられて振動を受け続ける間、発光ダイオード８が発光し続けることになる。
【００１１】
カバー部３の内面、あるいは、本体部１とカバー部３の内面は、乱反射面（リフレクション面）とする。従って、上記発光ダイオード８の光は、この乱反射面で乱反射され、前面側及び後面側に広範囲に拡がることになる。
【００１２】
また、本体部１とカバー部３に、それぞれ対応する鍔部１ａ、３ａを設け、鍔部１ａ、３ａ間において、自転車のスポーク２０を挟持させることにより、本リフレクターをスポーク２０に固定可能にする。
【００１３】
即ち、スポーク２０は、リムからハブに向かって集束されているので、本リフレクターを２本のスポーク２０間のリム寄りに配し、次第にハブ側に移動させて鍔１ａ、３ａ間に２本のスポーク２０を導入し、各スポーク２０が本体部１とカバー部３の合接部９に当たるまで、ハブに向けてずらし動かす。そして、その位置で、例えばネジ止めにより、鍔１ａ、３ａのスポーク２０、２０の外側に位置する部分を締め付け固定する（図１参照）。
【００１４】
本体部１とカバー部３の正面形状は円形とは限らず、四角形（図５（Ａ））、三角形（図５（Ｂ））、長円（図５（Ｃ））、その他任意の形状とすることができる。
【００１５】
図６乃至図８に示す実施形態は、本体部２１及びカバー部２３が、内面を乱反射面とした円筒状のもので、その一端部又は両端部に電池ボックス２２がネジ付けられ、また、その中間部にスポーク固定手段が配備されたものである。
【００１６】
図示したスポーク固定手段は、本体部２１の中間部に開口部２４を設け、開口部２４の縁部を環状に若干突出させ、その環状縁部２５に、スポーク２０が嵌合する溝２６を形成したものである。スポーク２０に固定するに当っては、スポーク２０を溝２６に嵌め込んだ状態で開口部２４に押え蓋２７を嵌め付け、押え蓋２７を本体部２１にネジ止め等によって固定する（図８参照）。
【００１７】
【発明の効果】
本発明は、上述した通りであって、自発光機能を有していて暗所で光を受けない状況下でも機能して広範囲に発光し、以て自転車利用者及び歩行者等の安全を確保でき、しかも構成簡易で手軽に使用することができる自発光式リフレクターを提供し得る効果がある。
【図面の簡単な説明】
【図１】本発明の実施形態の背面図である。
【図２】本発明の実施形態の側面図である。
【図３】本発明の実施形態の縦断面図である。
【図４】本発明の実施形態における接点回路の構成例を示す図である。
【図５】本発明の実施形態の別形状例を示す図である。
【図６】本発明の他の実施形態を示す平面図である。
【図７】本発明の他の実施形態を示す部分断面正面図である。
【図８】本発明の他の実施形態のスポーク取付状態を示す平面図である。
【符号の説明】
１　　本体部
１ａ　鍔
２　　電池ボックス
３　　カバー部
３ｂ　オネジ筒
３ａ　鍔
４　　蓋
５　　電池
６　　基板
７　　接点回路
８　　発光ダイオード
９　　合接部
１１　　揺動接点
１２　　リング状接点
２０　　スポーク
２１　　本体部
２２　　電池ボックス
２３　　カバー部
２４　　開口部
２５　　環状縁部
２６　　溝
２７　　押え蓋
【図１】
2004037634.tif 000003
【図２】
2004037634.tif 000004
【図３】
2004037634.tif 000005
【図４】
2004037634.tif 000006
【図５】
2004037634.tif 000007
【図６】
2004037634.tif 000008
【図７】
2004037634.tif 000009
【図８】
2004037634.tif 000010